(57)【要約】      （修正有）【課題】再生器の全体にわたって使用済み触媒をより均一に広げることができる分配方法および装置を提供する。【解決手段】使用済み触媒４４は、主トラフ４１に流入し主トラフ４１を貫流し、一部は、主トラフ４１に沿って進むとき、主トラフ４１に配置された分配用トラフ４３を通って触媒ベッドの底部（図示せず）に分配される。また残りの使用済み触媒４４は、主トラフ４１から外に分岐する副トラフ４２の中に方向転換され、そして分配用トラフ４３を通って触媒ベッドに分配される。【選択図】図４Ａ
2008221210.tif 000002
【特許請求の範囲】
【請求項１】
流動式接触分解装置のための使用済み触媒用再生器の中に使用済み触媒を分配する方法であって、
ａ．主トラフの中に使用済み触媒を回収し、任意選択で前記使用済み触媒を流動化および／または曝気するステップと、
ｂ．前記主トラフから複数の分配用トラフに前記使用済み触媒を通過させるステップと、
ｃ．前記複数の分配用トラフから触媒表面ベッドに前記使用済み触媒を給送するステップと
を含む方法。
【請求項２】
前記複数の分配用トラフの少なくとも１つが下向きに角度が付いている、請求項１に記載の方法。
【請求項３】
流動式接触分解装置のための使用済み触媒用再生器の中に使用済み触媒を分配する方法であって、
ａ．主トラフの中に使用済み触媒を回収し、任意選択で前記使用済み触媒を流動化および／または曝気するステップと、
ｂ．前記主トラフから複数の副トラフに、ある割合の前記使用済み触媒を通過させるステップと、
ｃ．前記複数の副トラフおよび前記主トラフから触媒表面ベッドに前記使用済み触媒を給送するステップと
を含む方法。
【請求項４】
前記使用済み触媒が、前記主トラフおよび前記複数の副トラフから前記主トラフおよび前記複数の副トラフの壁に配置された複数のカットアウトを通って前記触媒表面ベッドに給送される、請求項３に記載の方法。
【請求項５】
前記使用済み触媒が、前記主トラフおよび前記複数の副トラフから前記主トラフおよび前記複数の副トラフの側面に配置された複数の分配用トラフを通って前記触媒表面ベッドに給送される、請求項３に記載の方法。
【請求項６】
前記複数の分配用トラフの少なくとも１つが下向きに角度が付いている、請求項５に記載の方法。
【請求項７】
流動式接触分解装置のための使用済み触媒用再生器の中に使用済み触媒を分配する方法であって、
ａ．主トラフの中に使用済み触媒を回収し、任意選択で前記使用済み触媒を流動化および／または曝気するステップと、
ｂ．前記主トラフから前記主トラフの底部に配置された複数の下降流管に、ある割合の前記使用済み触媒を通過させるステップと、
ｃ．前記主トラフの壁に沿って配置された複数のカットアウトおよび前記主トラフの側面に配置された複数の分配用トラフから成る群から選択される少なくとも１つを通って触媒表面ベッドに前記主トラフの中に残る前記使用済み触媒を給送するステップと、
ｄ．前記触媒表面ベッドに前記複数の下降流管の中の前記使用済み触媒を給送するステップと
を含む方法。
【請求項８】
前記複数の分配用トラフの少なくとも１つが下向きに角度が付いている、請求項７に記載の方法。
【請求項９】
前記複数の下降流管の少なくとも１つが、前記触媒ベッドの前記表面の下に延び、前記使用済み触媒が前記触媒ベッドの前記表面の下に堆積される、請求項７に記載の方法。
【請求項１０】
前記複数の下降流管の少なくとも１つが、前記触媒ベッドの前記表面の下を前記触媒ベッドの上部の中に延び、前記使用済み触媒が前記触媒ベッドの前記上部の中に堆積される、請求項９に記載の方法。
【請求項１１】
複数の下降流管が前記主トラフの底部に連結され、
ａ．前記複数の下降流管にいくらかの前記使用済み触媒を通過させるステップと、
ｂ．前記触媒表面ベッドに前記複数の下降流管の中の前記使用済み触媒を給送するステップと
をさらに含む、請求項３に記載の方法。
【請求項１２】
前記複数の下降流管の少なくとも１つが、前記触媒ベッドの前記表面の下に延び、前記使用済み触媒が前記触媒ベッドの前記表面の下に堆積される、請求項１１に記載の方法。
【請求項１３】
前記複数の下降流管の少なくとも１つが、前記触媒ベッドの前記表面の下を前記触媒ベッドの上部の中に延び、前記使用済み触媒が前記触媒ベッドの前記上部の中に堆積される、請求項１２に記載の方法。
【請求項１４】
複数の下降流管が前記主トラフおよび前記複数の副トラフから成る群から選択される少なくとも１つの底部に連結され、
ａ．前記複数の下降流管にいくらかの前記使用済み触媒を通過させるステップと、
ｂ．前記触媒表面ベッドに前記複数の下降流管の中の前記使用済み触媒を給送するステップと
をさらに含む、請求項５に記載の方法。
【請求項１５】
前記複数の下降流管の少なくとも１つが、前記触媒ベッドの前記表面の下に延び、前記使用済み触媒が前記触媒ベッドの前記表面の下に堆積される、請求項１４に記載の方法。
【請求項１６】
前記複数の下降流管の少なくとも１つが、前記触媒ベッドの前記表面の下を前記触媒ベッドの上部の中に延び、前記使用済み触媒が前記触媒ベッドの前記上部の中に堆積される、請求項１５に記載の方法。
【請求項１７】
前記複数の分配用トラフの少なくとも１つが下向きに角度が付いている、請求項１４に記載の方法。
【請求項１８】
流動式接触分解装置の中での使用済み触媒の再生を助けるための使用済み触媒用分配器であって、
ａ．主トラフと、
ｂ．ｉ．前記主トラフの側面から外側に延びる複数の分配用トラフ、
ｉｉ．前記主トラフから分岐する複数の副トラフ、および
ｉｉｉ．前記主トラフの底部に連結される複数の下降流管
から成る群から選択される少なくとも１つと
を備える使用済み触媒用分配器。
【請求項１９】
第２の複数の下降流管が前記複数の副トラフの少なくとも１つの底部に連結される、請求項１８に記載の使用済み触媒用分配器。
【請求項２０】
第２の複数の分配用トラフが前記副トラフの少なくとも１つの側面から外側に延びる、請求項１８に記載の使用済み触媒用分配器。
【請求項２１】
前記複数の分配用トラフの少なくとも１つおよび／または前記第２の複数の分配用トラフの少なくとも１つが下向きに角度が付いている、請求項２０に記載の使用済み触媒用分配器。
【請求項２２】
流動式接触分解装置のための使用済み触媒用再生器の中に使用済み触媒を分配する方法であって、
ａ．主トラフの中に使用済み触媒を回収し、任意選択で外部から供給された媒体でまたはトラフの下で捕捉された煙道ガスを用いて前記使用済み触媒を流動化および／または曝気するステップと、
ｂ．前記主トラフから複数の分配用トラフに前記使用済み触媒を通過させるステップと、
ｃ．前記複数の分配用トラフから触媒表面ベッドに前記使用済み触媒を給送するステップと
を含む方法。
【発明の詳細な説明】
【技術分野】
【０００１】
本発明は使用済み触媒用分配器に関する。より具体的には、本発明は、バスタブ型使用済み触媒用分配器に関する。最も具体的には、本発明は、流動式接触分解装置の中での効率的な向流再生のためのバスタブ型使用済み触媒用分配器に関する。
【背景技術】
【０００２】
使用済み触媒用分配器の背景にある理論は何年間も知られている。概して、触媒は、分解プロセスで用いられるとき「使用済み」触媒と呼ばれている。この使用済み触媒はコークスで覆われ、このコークスは触媒の活性部位を覆い、それによって実質的に触媒の活性が低下する。しかしながら、再生器の使用を介して触媒からコークスを除去することが可能である。この使用済み触媒は再生器の中に給送され、堆積したコークスは燃えてなくされ、触媒だけが残る。次いで、この高温の再活性化触媒は、分解プロセスで再使用されるために再生器から除去される。使用済み触媒が均一な形で再生器の中に分配されない場合、触媒がきれいな後燃えとして再生されず、再生器の希薄相での関連する温度上昇が存在し、ＮＯＸが所望でない量で生成されることが、当技術分野で周知の問題である。いくつかの過去の特許が、さまざまな程度の成功とともに従来技術の分配問題の欠陥を解決するよう試みられた。
【０００３】
例えば、Ｍｕｒｐｈｙらの米国特許第４１５００９０号は、分解用触媒の再生に用いられる装置について教示している。使用済み触媒を運ぶアームは、中央軸に連結され、軸から外側に延びるが、再生器の外壁に接触しない。したがって、この特許は上から見ると車輪のスポークに非常によく似た形状を開示する。しかしながら、このデザインにより、使用済み触媒が非常に不均一な形で再生器の中に分配される。
【０００４】
Ｍｕｒｐｈｙらの米国特許第５６３５１４０号は、流動式接触分解装置の再生器のための使用済み触媒用分配器のためのデザインについて開示している。このデザインでは、使用済み触媒は、空気および燃焼または排気ガスによって使用済み触媒用分配器の中で曝気される。この曝気は、使用済み触媒用分配器のトラフアームを通って使用済み触媒の流れを容易にする。Ｍｕｒｐｈｙの特許の中にあるような使用済み触媒を運ぶアームは、中央軸に連結され、軸から外側に延びる。したがって、この特許は上から見ると車輪のスポークに非常によく似た形状を開示する。しかしながら、このデザインによりまた、使用済み触媒が非常に不均一な形で再生器の中に分配される。
【０００５】
Ｍｙｅｒｓらの米国特許第６８０９０５４号は、不完全燃焼の高温地点および区域を避ける手段として、より均一に再生ガスと接触させるために使用済み流動式接触分解用触媒を再生器の密集したベッドにわたってより一様に導入するための分配器構成を対象とする。この発明はまた、触媒の流れをさらに助けるためにヘッダを流動化するために可能な曝気の使用を意図する。使用済み触媒を運ぶアームは、再生器の壁から外に反対側の壁に向かって延びるが、反対側の壁に接触しない。この特許ではまた、小さなアームが主アームから９０°または６０°の角度で延びることができることを教示する。しかしながら、このデザインは、スポーク付車輪の形状ではないが、触媒がやはり非常に不均一な形で再生器の中に分配される。
【０００６】
したがって、もし触媒のベッドの中に触媒の再生の効率を改善する非常に均一な形で使用済み触媒を分配することを可能にするデザインがあるならば、それは、分解装置での使用済み触媒の再生について当技術分野での進歩を意味することになる。
【特許文献１】米国特許第４１５００９０号
【特許文献２】米国特許第５６３５１４０号
【特許文献３】米国特許第６８０９０５４号
【発明の開示】
【発明が解決しようとする課題】
【０００７】
したがって、本発明の目的は、再生器の全体の断面にわたって使用済み触媒をより均一に広げることである。
【０００８】
本発明の別の目的は、より効率的な再生およびよりきれいな再生触媒を実現することである。
【０００９】
本発明の別の目的は、再生器の希薄相の中の後燃えおよびそれに関連する温度上昇がなくせない場合、後燃えおよびそれに関連する温度上昇を低減させることである。
【００１０】
本発明の別の目的は、使用済み触媒を再生する際に用いられる装置の信頼性を改善し、装置の耐用年数を延ばすことである。
【００１１】
本発明の別の目的は、増加する燃焼ガスに対してまったく向流方向に使用済み触媒を流すことである。
【００１２】
本発明の別の目的は、触媒活性保持力を増加させ、触媒組成費用を削減させることである。
【００１３】
本発明の別の目的は使用済み触媒の再生の間のＮＯＸの生成を削減することである。
【課題を解決するための手段】
【００１４】
したがって、これらおよび他の目的は本発明のデザインにより達成される。本発明は、分配用トラフ、副トラフおよび／または下降流管の使用により反応器の横断面区域にわたって非常に均一な分配パターンで使用済み触媒を分散する分岐した分配器によって流動化した使用済み触媒の開水路流れを備える。
【００１５】
好ましい実施形態では、主トラフは「Ｙ形」または「十字」の形状を形成するために複数の副トラフに分かれ、複数のトラフのそれぞれはいくつかの分配用トラフを有する。各トラフが触媒の流れを助けるために下方に傾いていることが好ましい。
【発明を実施するための最良の形態】
【００１６】
好ましい実施形態の以下の実施形態は、本発明を説明するために提示され、いかなる形であろうとも添付された特許請求の範囲を限定するように解釈されるべきではない。
【００１７】
図１Ａ、１Ｂ、１Ｃに最もよく示されているように、従来技術は、主トラフ（１２）を通って使用済み触媒（１１）を分配することに限定されている。使用済み触媒（１１）は、主トラフ（１２）に沿って進むとき、主トラフ（１２）の壁を越えて主トラフ（１２）の特定のカットアウト（１３）に流入する（図８Ａも参照）。この溢流を矢印によって概略的に示す。使用済み触媒（１１）は触媒ベッド（図示なし）にわたって一列になって分配される。主トラフ（１２）は、支持手段（１６）によって容器の壁（１５）に支持されることができる。
【００１８】
図２Ａ、２Ｂ、２Ｃに最もよく示されているように、本発明は、主トラフ（２２）の各側面に沿って分配用トラフ（２１）を追加することによって従来技術を改善する。各分配用トラフ（２１）は、触媒の流れを容易にするように主トラフ（２２）から下向きに角度が付いている（８Ｂ参照）。したがって、使用済み触媒（２３）は主トラフ（２２）の中を流れ、一部は、使用済み触媒（２３）が主トラフ（２２）に沿って進むとき、矢印の進路に沿って分配用トラフ（２１）を通って触媒ベッド（図示せず）に分配される。使用済み触媒（２３）は、分配用トラフ（２１）が主トラフ（２２）から外に延びるので（図８Ｂも参照）、従来技術（図１Ａ、１Ｂ、１Ｃ参照）のものより均一な形で触媒ベッド底部（図示せず）に沿って分配される。主トラフ（２２）が支持手段（２５）によって容器の壁（２４）に支持されることができることが想定されている。
【００１９】
図３Ａ、３Ｂは、主トラフ（３１）を副トラフ（３２）に分けることによって従来技術を改善する本発明の別の実施形態を示す。用語「副トラフ」は、主トラフ（３１）より小さいトラフを指す意味ではない。用語「副トラフ」は、主トラフ（３１）から分岐するどのようなトラフも（サイズが、大きい、小さい、または等しいかにかかわらず）包含する。使用済み触媒（３３）は、主トラフ（３２）に流入し主トラフ（３２）を貫流する。使用済み触媒（３２）の一部は、主トラフ（３１）の壁を越えて主トラフ（３１）の特定のカットアウト（３４）の中に分配される（図８Ａも参照）。矢印は溢流を示す。すべての使用済み触媒（３３）は、カットアウト（３４）を通って分配されるわけではなく、残りの使用済み触媒（３３）は、主トラフ（３１）から外に分岐する副トラフ（３２）の中に方向転換される。これら分岐は、主トラフ（３１）に沿って任意の地点（３５）から始まる。使用済み触媒（３２）の一部は、使用済み触媒（３３）が副トラフ（３２）を横切るとき、副トラフ（３２）の壁を越えて副トラフ（３２）の特定のカットアウト（３４）の中に分配される。矢印はこの溢流を示す。使用済み触媒（３３）は、副トラフ（３２）が主トラフ（３１）から外に延びるので、従来技術（図１Ａ、１Ｂ、１Ｃ参照）のものより均一な形で触媒ベッド底部（図示せず）に沿って分配される。副トラフ（３２）が支持手段（図示せず）によって容器の壁（３６）に支持されることができることが想定されている。
【００２０】
図４Ａ、４Ｂは、従来技術の改善が主トラフ（４１）を副トラフ（４２）に分けることによって実現される本発明の別の好ましい実施形態を具体化するものである。さらに、分配用トラフ（４３、いくつかのみを示す）は、主トラフ（４１）および副トラフ（４２）の両方の側面に１列に並ぶ（図８Ｂも参照）。使用済み触媒（４４）は、主トラフ（４１）に流入し主トラフ（４１）を貫流し、一部は、使用済み触媒（４４）が主トラフ（４１）に沿って進むとき、主トラフ（４１）に配置された分配用トラフ（４３）を通って触媒ベッドの底部（図示せず）に分配される。すべての使用済み触媒（４４）は、主トラフ（４１）の分配用トラフ（４３）を通って分配されるわけではない。次いで、残りの使用済み触媒（４４）は、主トラフ（４１）から外に分岐する副トラフ（４２）の中に方向転換される。分岐は、主トラフ（４１）に沿った任意の地点（４５）から始まることができる。使用済み触媒（４４）は、副トラフ（４２）の中に入ると、主トラフ（４１）に配置された分配用トラフ（４３）を通って触媒ベッド（図示せず）に分配される。使用済み触媒（４４）は、分配用トラフ（４３）が主トラフ（４１）および副トラフ（４２）の両方から外に延びるので（図８Ｂも参照）、従来技術のものより均一な形で触媒ベッド底部（図示せず）に沿って分配される（図１Ａ、１Ｂ、１Ｃ参照）。副トラフ（４２）が支持手段（図示せず）によって容器の壁（４６）に支持されることができることが想定されている。
【００２１】
図５Ａ、５Ｂ、５Ｃは、下降流管（図５Ｂで５１、図５Ａで円として示す）が主トラフ（５２）の中央に備えられる本発明の別の好ましい実施形態を具体化するものである（図８Ｃも参照）。使用済み触媒（５３）が主トラフ（５２）に沿って進むとき、一部は、主トラフ（５２）の壁を越えて主トラフ（５２）の特定のカットアウト（５４）の中に分配される。矢印は溢流を示す。すべての使用済み触媒（５３）は、カットアウト（５４）を通って分配されるわけではない。ある割合の使用済み触媒（５３）は、下降流管（図５Ｂで５１、図５Ａで円として示す）を通って分配される。これら下降流管（図５Ｂで５１、図５Ａで円として示す）は、主トラフ（５２）の底部から触媒ベッドの表面の下へ延びる（図８Ｃ参照）。好ましい実施形態では、下降流管（図５Ｂで５１、図５Ａで円として示す）は、主トラフ（５２）の底部から触媒ベッドの表面を越して触媒ベッド（図示せず）の上部の中に延びる。使用済み触媒（５３）は、触媒ベッド表面（図示せず）の上および下の両方に分配されるので、従来技術のものより均一な形で触媒ベッド底部（図示せず）に沿って分配される（図１Ａ、１Ｂ、１Ｃ参照）。主トラフ（５２）が支持手段（５６）によって容器の壁（５５）に支持されることができることがまた想定されている。
【００２２】
図６Ａ、６Ｂ、６Ｃは本発明の別の好ましい実施形態を示す。この好ましい実施形態では、下降流管（図６Ｃでは６１で示し、図６Ａまたは図６Ｂでは図示せず）が、主トラフ（６２）の各側面に沿って主トラフ（６２）および分配用トラフ（６４）の底部に備えられる。使用済み触媒（６３）が主トラフ（６２）に沿って進むとき、一部は分配用トラフ（６４）によって分配される。各分配用トラフ（６４）は、触媒の流れを容易にするよう主トラフ（６２）から下向きに角度が付いている。したがって、使用済み触媒（６３）は主トラフ（６２）に流入し、使用済み触媒（６３）が主トラフ（６２）に沿って進むとき、一部は、矢印の進路に沿って分配用トラフ（６４）を通って触媒ベッド（図示せず）に分配される。すべての使用済み触媒（６３）が分配用トラフ（６４）を通って分配されるわけではない。ある割合の使用済み触媒（６３）は、下降流管（図６Ｃでは６１で示し、図６Ａまたは図６Ｂでは図示せず）を通って分配される。これら下降流管（図６Ｃでは６１で示し、図６Ａまたは図６Ｂでは図示せず）は、主トラフ（６２）の底部から触媒ベッドの表面に下に延びる（図８Ｃ参照）。好ましい実施形態では、下降流管（図６Ｃでは６１で示し、図６Ａまたは図６Ｂでは図示せず）は、主トラフ（６２）の底部から触媒ベッドの表面を過ぎて触媒ベッド（図示せず）の中に延びる。分配用トラフ（６４）が主トラフ（６２）から延び（図８Ｂも参照）、いくらかの使用済み触媒（６３）が触媒ベッドの表面の下に堆積されるので、使用済み触媒（６３）は、従来技術（図１Ａ、ｌＢ、１Ｃ参照）のものより均一な形で触媒ベッド（図示せず）に沿って触媒ベッドのいたるところに分配される。主トラフ（６２）が、支持手段（６６）によって容器の壁（６５）の上に支持されることができることがまた想定されている。
【００２３】
図７は、主トラフ（７１）がいくつかの副トラフ（７２）に分けられた本発明の別の好ましい実施形態を示す。さらに、分配用トラフ（７３、いくつかのみを示す）は副トラフ（７２）の側面に１列に並ぶ（図８Ｂも参照）。分配用トラフがまた、主トラフ（７１）の側面に１列に並ぶことが想定されている（ただし図示せず）。使用済み触媒（７４）は、主トラフ（７１）に流入し主トラフ（７１）を貫流し、使用済み触媒（７４）の一部は、使用済み触媒（７４）が主トラフ（７１）に沿って進むとき、主トラフ（７１）の壁を越えて主トラフ（７１）のカットアウト（図３Ｂと同様）を通って分配される。すべての使用済み触媒（７４）がカットアウトを通って分配されるわけではない。次いで、残りの使用済み触媒（７４）は、主トラフ（７１）から外に分岐する副トラフ（７２）の中に方向転換される。分岐は、主トラフ（７１）に沿って任意の地点（７５）から始まることができる。すべての分岐が主トラフ（７１）に沿って同じまたは異なる地点（７５）から始まることができることが想定されている。使用済み触媒（７４）は、副トラフ（７２）に入ると、副トラフ（７２）に配置された分配用トラフを通って触媒ベッド（図示せず）に分配される。使用済み触媒（７４）は、分配用トラフ（７３）が副トラフ（７２）から外に延びるので（図８Ｂも参照）、従来技術のものより均一な形で触媒ベッド（図示せず）に沿って触媒ベッドに分配される（図１Ａ、ｌＢ、１Ｃ参照）。副トラフ（７２）が、支持手段（図示せず）によって容器の壁（７６）に支持されることができることがまた想定されている。
【００２４】
図８Ａは、図１Ａの線８Ａに沿った従来技術の主トラフ（８１）の正面先端部の図を示す。使用済み触媒は、主トラフ（８１）を通って流れるとき、矢印の方向にカットアウト（８２）で主トラフ（８１）の壁を越えて流れ、触媒ベッドの表面の下に堆積される（図示せず）。
【００２５】
図８Ｂは、図２Ａの線８Ｂに沿った本発明の主トラフ（８１’）の正面先端部の図を示す。使用済み触媒は、主トラフ（８１’）を貫流するとき、矢印の方向に分配用トラフ（８３’）を貫流し、触媒ベッドの表面の下に堆積される（図示せず）。
【００２６】
図８Ｃは、図５Ａの線８Ｃに沿った本発明の主トラフ（８１”）の正面先端部の図を示す。使用済み触媒は、主トラフ（８１”）を貫流するとき、矢印の方向にカットアウト（８２”）で主トラフ（８１”）の壁を越えて流れ、触媒ベッド（８４”）に堆積される。さらなる使用済み触媒が、主トラフを貫流し、下降流管（８５”）を通って進み、触媒ベッド（８４”）の表面の下に堆積される。
【００２７】
本発明のすべての実施形態では、本発明者が、本発明が特定の物質の改善された分配から利益を得られる他の用途で用いられることができることを意図しているが、使用済み触媒は、接触分解装置から再生器の中に導入される。一段および二段の再生器、ならびに並んでいる反応器／再生器の配置が、本発明とともに用いられることができることが想定されている。当技術分野で用意された追加のデザインがまた、本発明とともに用いられることができる。
【００２８】
任意の数および組合せの副トラフ、分配用トラフおよび／または下降流管が、使用済み触媒の均一な形での分配が実現する限り本発明とともに用いられることができることが想定されている。必要ならば、使用済み触媒が、外部の源からかそれとも再生器のベッドの内側の捕捉された煙道ガスから曝気されるか、あるいは当技術分野で知られるどのような方法でも曝気されないことがあることもまた想定されている。
【００２９】
本発明を説明したので、多くの変更および修正が本発明の精神および範囲から逸脱することなく上述の実施形態に行われることがここで明らかであろう。
【００３０】
上述の特許は、参照により本明細書に組み込まれている。
【図面の簡単な説明】
【００３１】
【図１Ａ】従来技術の使用済み触媒用再生器の上面図である。
【図１Ｂ】従来技術の使用済み触媒用再生器の第２の上面図である。
【図１Ｃ】従来技術の使用済み触媒用再生器の側面図である。
【図２Ａ】分配用トラフを含む本発明の実施形態の上面図である。
【図２Ｂ】分配用トラフを含む本発明の実施形態の第２の上面図である。
【図２Ｃ】分配用トラフを含む本発明の実施形態の側面図である。
【図３Ａ】本発明の分割または「Ｙ形」の実施形態の上面図である。
【図３Ｂ】本発明の分割または「Ｙ形」の実施形態の側面図である。
【図４Ａ】分配用トラフを含む本発明の分割または「Ｙ形」の実施形態の上面図である。
【図４Ｂ】分配用トラフを含む本発明の分割または「Ｙ形」の実施形態の側面図である。
【図５Ａ】下降流管を含む本発明の第４の実施形態の上面図である。
【図５Ｂ】下降流管を含む本発明の第４の実施形態の第２の上面図である。
【図５Ｃ】下降流管を含む本発明の第４の実施形態の側面図である。
【図６Ａ】下降流管および分配用トラフを含む本発明の第５の実施形態の上面図である。
【図６Ｂ】下降流管および分配用トラフを含む本発明の第５の実施形態の第２の上面図である。
【図６Ｃ】下降流管および分配用トラフを含む本発明の第５の実施形態の側面図である。
【図７】分配用トラフを含む本発明の多重分割の実施形態の上面図である。
【図８Ａ】下降流管および分配用トラフを有さないトラフの切断図である。
【図８Ｂ】分配用トラフを有するトラフの切断図である。
【図８Ｃ】下降流管を有するトラフの切断図である。
【符号の説明】
【００３２】
１１  使用済み触媒
１２  主トラフ
１３  カットアウト
１５  容器の壁
１６  支持手段
２１  分配用トラフ
２２  主トラフ
２３  使用済み触媒
２４  容器の壁
２５  支持手段
３１  主トラフ
３２  副トラフ
３３  使用済み触媒
３４  カットアウト
３５  地点
３６  容器の壁
４１  主トラフ
４２  副トラフ
４３  分配用トラフ
４４  使用済み触媒
４５  地点
４６  容器の壁
５１  下降流管
５２  主トラフ
５３  使用済み触媒
５４  カットアウト
５５  容器の壁
５６  支持手段
６１  下降流管
６２  主トラフ
６３  使用済み触媒
６４  分配用トラフ
６５  容器の壁
６６  支持手段
７１  主トラフ
７２  副トラフ
７３  分配用トラフ
７４  使用済み触媒
７５  地点
７６  容器の壁
８１  主トラフ
８１’  主トラフ
８１”  主トラフ
８２  カットアウト
８２”  カットアウト
８３’  分配用トラフ
８４”  触媒ベッド
８５”  下降流管
【図１Ａ】
2008221210.tif 000003
【図１Ｂ】
2008221210.tif 000004
【図１Ｃ】
2008221210.tif 000005
【図２Ａ】
2008221210.tif 000006
【図２Ｂ】
2008221210.tif 000007
【図２Ｃ】
2008221210.tif 000008
【図３Ａ】
2008221210.tif 000009
【図３Ｂ】
2008221210.tif 000010
【図４Ａ】
2008221210.tif 000011
【図４Ｂ】
2008221210.tif 000012
【図５Ａ】
2008221210.tif 000013
【図５Ｂ】
2008221210.tif 000014
【図５Ｃ】
2008221210.tif 000015
【図６Ａ】
2008221210.tif 000016
【図６Ｂ】
2008221210.tif 000017
【図６Ｃ】
2008221210.tif 000018
【図７】
2008221210.tif 000019
【図８Ａ】
2008221210.tif 000020
【図８Ｂ】
2008221210.tif 000021
【図８Ｃ】
2008221210.tif 000022